(57)【特許請求の範囲】
【請求項１】
複数本の弦が張設された楽器本体と、この楽器本体に取付けられたフレームとを備えた電気弦楽器において、
前記楽器本体の一側がわに張り出したフレーム本体と、このフレーム本体の上端に設けられ前記楽器本体の他側がわに張り出したヨーク部とで前記フレームを構成し、
前記ヨーク部を前記フレーム本体に対して折畳み自在に取付け、
前記フレームを前記楽器本体に対して、手で締結弛緩可能なつまみを備えた止めねじにより着脱可能に取付けたことを特徴とする電気弦楽器。
【発明の詳細な説明】
【０００１】
【発明の属する技術分野】
本発明は電気弦楽器に関し、さらに詳しくは、電気コントラバス、電気チェロ等の大型の電気弦楽器に関するものである。
【０００２】
【従来の技術】
低音域を担当するチェロは、全長がバイオリンの倍（約１２０ｃｍ）ではあるが、横板の幅は４倍近くにも及ぶ。また、最低音域を担当するコントラバスは、チェロの２倍たらずで、約２ｍ（弦長１ｍ）に及ぶ長さと大きな共鳴胴を有している。このような大型弦楽器の演奏に際しては、胴尻に設けたエンドピン（脚棒）を床面に接触させ、共鳴胴や棹部を胸または肩で支えて演奏する。この場合、奏者は通常椅子に腰掛けて膝の間で演奏（座奏）するが、時には立って演奏（立奏）することもある。
【０００３】
大型の弦楽器は広い音域を備え、特に音量が相対的に大きいために弱音器（金属ミュート）を装着したとしても音量をあまり下げることができず、住宅地では周囲に迷惑を及ぼすため練習時間や場所が著しく制約される。
【０００４】
そこで、最近では音量を自由に調整することができ、また必要に応じて音を消しヘッドホンで消音演奏を楽しむことができるようにした電気チェロや電気コントラバスが提案されている。このような電気弦楽器においては、自然楽器に比べて音量を１０分の１に、音のエネルギーを約１００分の１（−２０ｄＢ  ；４弦の平均値）程度にまで低減することにより、人がささやく程度の音量で静かに演奏でき、時間帯や住環境を気にすることなく、いつでも練習することができる利点がある。
【０００５】
図５および図６にこの種の電気コントラバスの従来例を示す。これらの図において、電気コントラバス１は、細長い楽器本体２と、この楽器本体２の前面に張設された４本の弦３と、楽器本体２の下面に取付けられた伸縮自在なエンドピン５と、楽器本体２の上端部、中間部および下端部にそれぞれ取付けられた上駒６、駒７およびテールピース８等を備えている。楽器本体２は、胴部２Ａと、この胴部２Ａの上端に接続された棹部２Ｂと、この棹部２Ｂの表面に取付けられた指板２Ｃとで構成されている。弦３は、前端側が棹部２Ｂの先端部に設けたペグ９にそれぞれ巻き付けられて係止され、このペグ９に近い部分が上駒６によって支持され、後端部がテールピース８に係止され、このテールピース８に近い部分が駒７によって支持されている。
【０００６】
また、楽器本体２は図示しないピックアップ装置を内臓しており、これによって弦３の振動を検出し、電子回路（イコライザー）で音色を補正した後に、コントラバス独特の音を再現するようにしている。このとき、ヘッドホンを接続しておけば消音演奏を楽しむことができ、一方アンプを接続しておけば、スピーカをとおして演奏を聴くことができる。さらに、他の消音楽器やＣＤプレーヤー、電気楽器などと接続すれば合奏を楽しむことができる。
【０００７】
上記した電気コントラバス１は、アコースティックなコントラバスと同様に演奏されるが、音色を電気的に処理して発音させているため共鳴胴を必要とせず、代わりに楽器本体２にフレーム４を設け、このフレーム４を肩や胸で支えたり、膝で押さえたりすることにより、コントラバスと同様な演奏、特に弓奏時にコントラバスの演奏に近い演奏姿勢をとることができるようにしている。このためフレーム４は、正面から見て通常共鳴胴の側部形状に近似した形状、具体的には数字の「３」に近い形状に形成され、楽器本体２の低音弦がわの側面１０に張り出して取付けられ、上端部が反対側に張り出している。
【０００８】
【発明が解決しようとする課題】
しかしながら、上記した従来の電気コントラバス１においては、楽器本体２自体が長く、またフレーム４が楽器本体２に取り外し不能に固定されているため、搬送時や収納するときなど、取扱性に欠けるという問題があった。
【０００９】
そこで、フレーム自体を取り除いた電気コントラバスも提案されているが、このような電気コントラバスは、立奏時において楽器本体２を安定した状態で支持することが難しく、演奏性に難点があった。何故なら、立奏時においては膝で楽器本体２を挟み込むことができず、左右の手で楽器本体２を支え難い状態での演奏、例えばビブラートをかけたり、ボーイング動作を行うとき安定した状態で支持することができず、楽器本体２がエンドピン５を中心として回転してしまうからである。
【００１０】
本発明は上記した従来の問題を解決するためになされたもので、その目的とするところは、搬送時や収納するときなどの取扱性を向上させることができるようにした電気弦楽器を提供することにある。
【００１１】
【課題を解決するための手段】
上記目的を達成するために本発明は、複数本の弦が張設された楽器本体と、この楽器本体に取付けられたフレームとを備えた電気弦楽器において、前記楽器本体の一側がわに張り出したフレーム本体と、このフレーム本体の上端に設けられ前記楽器本体の他側がわに張り出したヨーク部とで前記フレームを構成し、前記ヨーク部を前記フレーム本体に対して折畳み自在に取付け、前記フレームを前記楽器本体に対して、手で締結弛緩可能なつまみを備えた止めねじにより着脱可能に取付けたものである。
【００１４】
本発明においては、フレームが楽器本体に対して着脱可能に取付けられているので、楽器本体とフレームを分解して搬送したり、ケースに別々に収納することができる。特に、楽器本体は細長い形状で長さ自体は変わらないが、フレームを外すと突起部がなくなるため取扱い易い。
また、フレーム本体とヨーク部を肩や胸で支持し、さらにフレーム本体を膝で押さえると、楽器を安定した状態で支持でき、自然な姿勢で演奏することができる。
さらに、ヨーク部を折畳むと、フレームを持ち運び易い形状にすることができる。
【００１７】
【発明の実施の形態】
以下、本発明を図面に示す実施の形態に基づいて詳細に説明する。
図１は本発明を電気コントラバスに適用した一実施の形態を示す正面図、図２は背面図、図３はフレームの取り外し手順を説明するための図、図４はフレームを取り外した状態を示す図である。なお、図中従来技術の欄において示した構成部材と同一のものについては、同一符号をもって示し、その説明を適宜省略する。
【００１８】
これらの図において、電気コントラバス２０は、細長い楽器本体２と、この楽器本体２の前面に張設された４本の弦３と、楽器本体２の下面に取付けられた伸縮自在なエンドピン５と、楽器本体２の上端部、中間部および下端部にそれぞれ取付けられた上駒６、駒７およびテールピース８、ペグ９等を備えている。楽器本体２は、胴部２Ａと、この胴部２Ａの上端に接続された棹部２Ｂと、この棹部２Ｂの表面に取付けられた指板２Ｃ等で構成されている。なお、楽器の携帯性を重視した場合、楽器本体２を分割したり、折畳み自在に構成することも考えられるが、組立の簡便性や強度を考慮すると、弦３の張力の影響を受ける胴部２Ａと棹部２Ｂは一体としておくことが好ましい。
【００１９】
また、楽器本体２に内臓した図示しないピックアップ装置を備え、これによって弦３の振動を検出し、電子回路（イコライザー）で音色を補正した後に、コントラバス独特の音を再現するようにしている。このとき、ヘッドホンを接続しておけば消音演奏を楽しむことができ、一方アンプを接続しておけば、スピーカをとおして演奏を聴くことができる。さらに、他の消音楽器やＣＤプレーヤー、電気楽器などと接続すれば合奏を楽しむことができる。このような電気コントラバス２０は図５および図６に示した従来の電気コントラバス１と全く同一である。
【００２０】
さらに、電気コントラバス２０は、フレーム２１を備えている。このフレーム２１は、演奏時に楽器を安定した状態で支持するために用いられるもので、正面から見てアコースティックなコントラバスの共鳴胴の側部形状に近似した形状、具体的には数字の「３」に近い形状に形成されたフレーム本体２１Ａと、このフレーム本体２１の上端に図１において矢印方向に折畳み自在に連結されたヨーク部２１Ｂとで構成されている。フレーム本体２１Ａは、金属部品、木製部品、プラスティック部品等の組合わせによって形成され、ヨーク部２１Ｂは木材またはプラスティックによって形成されている。
【００２１】
このようなフレーム２１は、図５および図６に示した電気コントラバス１のフレーム４と略同一形状で、フレーム本体２１Ａが楽器本体２の低音弦がわの側面１０に張り出し、ヨーク部２１Ｂが高音弦がわの側面２２に張り出すように取付けられている点で一致しているが、ヨーク部２１Ｂをフレーム本体２１Ａに対して折畳み自在に取付けた点と、フレーム本体２１Ａを楽器本体２に対して着脱可能に取付けた点で相違している。
【００２２】
前記フレーム２１の着脱可能な取付構造について詳述すると、フレーム本体２１Ａの上端、言い換えればフレーム本体２１Ａとヨーク部２１Ｂとの接続部を胴部２Ａの裏面でネック付け根部分に止めねじ２４によって固定し、中央部に連結片２５を設け、この連結片２５を胴部２Ａの裏面中央部に止めねじ２６によって固定し、下端を胴部２Ａの下面に同じく止めねじ２７によって固定している。止めねじ２４，２６，２７は、工具を用いないで容易に締め付けたり緩めたりすることができるようにつまみを備えている。また、止めねじ２４は、ヨーク部２１Ｂを回動自在に枢支する軸を兼用している。前記連結片２５は、細長い金属板によって形成され、一端がフレーム本体２１Ａの内面に連結ピン２８によって回転自在に連結され、他端が前記止めねじ２６によって胴部２Ａに固定される。
【００２３】
このような電気コントラバス２０において、フレーム２１を楽器本体２から取り外すには、先ず止めねじ２６を手で緩めて連結片２５を楽器本体２から外す。そして、この連結片２５を図３に示すように回動させてフレーム本体２１Ａの内面に沿って収納する。次に、止めねじ２７を緩めてフレーム２１の下端を楽器本体２から外す。さらに、止めねじ２４を緩めてフレーム２１の上端を楽器本体２から外す。これによってフレーム２１は楽器本体２から取り外される。そして、図４に示すように、ヨーク部２１Ｂを折畳み、フレーム２１を移動用に用意したケース等に収納する。同様に、楽器本体２も専用のケースに収納する。このように、楽器本体２とフレーム２１を分解して専用のケースに収納すると、携行や収納が容易で、可搬性および収納性を向上させることができる。特に、楽器本体２はフレーム２１を取り外すと、長さ自体は変わらないが、突起部分がなくなるので取扱い易い。また、フレーム２１はヨーク部２１Ｂが折畳まれるため、収納時の形状を小さくすることができる。
【００２４】
使用に当たって電気コントラバス２０を組立てる場合は、上記した手順とは反対の手順によってフレーム２１を楽器本体２に取付ければよい。
【００２５】
なお、上記した実施の形態においては、電気コントラバスに適用した例を示したが、本発明はこれに何等限定されるものではなく、電気チェロにも適用することができる。その場合、フレームの張り出す方向がコントラバスの例とは反転することもある。
【００２６】
【発明の効果】
以上説明したように本発明に係る電気弦楽器は、楽器本体に対してフレームを着脱可能に取付けたので、フレームを取り外すと携行し易く、可搬性を向上させることができる。また、楽器本体はフレームを外すと突起部分がなくなるので、取扱いが容易である。また、楽器本体とフレームを分離して収納すると収納し易く、収納性を向上させることができ、特に電気コントラバス、電気チェロ等の大型の電気弦楽器に適用して好適である。
【００２７】
また、本発明は、ヨーク部をフレーム本体に対して折畳み自在に取付けているので、収納時にフレームを小さくして収納することができる。
【図面の簡単な説明】
【図１】本発明を電気コントラバスに適用した一実施の形態を示す正面図である。
【図２】同コントラバスの背面図である。
【図３】フレームの取り外し手順を説明するための図である。
【図４】フレームを取り外した状態を示す図である。
【図５】電気コントラバスの従来例を示す正面図である。
【図６】同コントラバスの背面図である。
【符号の説明】
２…楽器本体、２Ａ…胴部、２Ｂ…棹部、２Ｃ…指板、３…弦、４…フレーム、５…エンドピン、６…上駒、７…駒、８…テールピース、９…ペグ、２０…電気コントラバス、２１…フレーム、２１Ａ…フレーム本体、２１Ｂ…ヨーク部、２４，２６，２７…止めねじ。
【図１】
0003580221.tif 000002
【図２】
0003580221.tif 000003
【図３】
0003580221.tif 000004
【図４】
0003580221.tif 000005
【図５】
0003580221.tif 000006
【図６】
0003580221.tif 000007